(57)【特許請求の範囲】
【請求項１】
光導波性を有し、一方向に沿って延出するコアと、
このコアの外周面を全面的に被覆して前記コア内を伝送される光を該コア内に閉じ込める第一のクラッド層と、
この前記第一のクラッド層の外周面を全面的に被覆する第二のクラッド層と、
を具備し、
この前記第二のクラッド層には、放射線により発光するシンチレータが分散され、このシンチレータに放射線が照射されることにより発光した光の少なくとも一部は、前記コア内を伝送され、
前記第一のクラッド層にはシンチレータが含まれておらず、
前記第一のクラッド層及び第二のクラッド層は、同一材料から形成されていることを特徴とする光ファイバ。
【請求項２】
光導波性を有し、一方向に沿って延出するコアと、
このコアの外周面を全面的に被覆して前記コア内を伝送される光を該コア内に閉じ込めるクラッド層と、
を具備し、
この前記クラッド層は、内層と外層とを備え、
この前記外層には、放射線により発光するシンチレータが分散され、このシンチレータに放射線が照射されることにより発光した光の少なくとも一部は、前記コア内を伝送され、
前記内層にはシンチレータが含まれておらず、
前記内層及び前記外層は、同一材料から形成されていることを特徴とする光ファイバ。
【請求項３】
前記シンチレータは、無機シンチレータであることを特徴とする請求項１又は２に記載の光ファイバ。
【請求項４】
前記放射線は、Ｘ線、α線、β線及びγ線の少なくとも一つを含み、前記シンチレータは、前記Ｘ線、α線、β線及びγ線の何れかにより発光することを特徴とする請求項１又は２に記載の光ファイバ。
【請求項５】
前記第二のクラッド層の外周面には、保護層が被覆されていることを特徴とする請求項１に記載の光ファイバ。
【請求項６】
前記クラッド層の外周面には、保護層が被覆されていることを特徴とする請求項２に記載の光ファイバ。
【請求項７】
前記コアは、石英ガラスから形成されていることを特徴とする請求項１又は２に記載の光ファイバ。
【請求項８】
前記第一のクラッド層及び第二のクラッド層は、透明高分子合成樹脂から形成されていることを特徴とする請求項１に記載の光ファイバ。
【請求項９】
前記内層及び前記外層は、透明高分子合成樹脂から形成されていることを特徴とする請求項２に記載の光ファイバ。
【請求項１０】
前記シンチレータは、前記第二のクラッド層内にドーピングにより分散されていることを特徴とする請求項１に記載の光ファイバ。
【請求項１１】
前記シンチレータは、前記外層にドーピングにより分散されていることを特徴とする請求項２に記載の光ファイバ。
【請求項１２】
光導波性を有し、一方向に沿って延出するコアと、このコアの外周面を全面的に被覆して前記コア内を伝送される光を該コア内に閉じ込める第一のクラッド層と、この前記第一のクラッド層の外周面を全面的に被覆する第二のクラッド層と、前記第二のクラッド層の外周面を被覆する保護層と、を備え、この前記第二のクラッド層には、放射線により発光するシンチレータが分散され、このシンチレータに放射線が照射されることにより発光した光の少なくとも一部は、前記コア内を伝送されるように構成された光ファイバと、
前記保護層の外周面に被覆された補強層と、
を具備し、
前記第一のクラッド層にはシンチレータが含まれておらず、
前記第一のクラッド層及び第二のクラッド層は、同一材料から形成されていることを特徴とする光ファイバケーブル。
【請求項１３】
光導波性を有し、一方向に沿って延出するコアと、このコアの外周面を全面的に被覆して前記コア内を伝送される光を該コア内に閉じ込めるクラッド層と、前記クラッド層の外周面を被覆する保護層とを備え、この前記クラッド層は、内層と外層とを有し、この前記外層には、放射線により発光するシンチレータが分散され、このシンチレータに放射線が照射されることにより発光した光の少なくとも一部は、前記コア内を伝送されるように構成された光ファイバと、
前記保護層の外周面に被覆された補強層と、
を具備し、
前記内層にはシンチレータが含まれておらず、
前記内層及び前記外層は、同一材料から形成されていることを特徴とする光ファイバケーブル。
【請求項１４】
前記補強層は、前記一方向に沿って延びる強化繊維の束を備えていることを特徴とする請求項１２又は１３に記載の光ファイバケーブル。
【請求項１５】
前記強化繊維の束は、その外周をテープにより巻回されることにより、前記光ファイバの外周に固定されていることを特徴とする請求項１４に記載の光ファイバケーブル。
【発明の詳細な説明】
【０００１】
【発明の属する技術分野】
この発明は、光を伝送するための光ファイバと、この光ファイバを内部に備えた光ファイバケーブルに関する。
【０００２】
【従来の技術】
従来より、放射線を扱う（利用する）施設等においては、放射線漏れは、身体に対するダメージが大きいため、これが極力発生しないように種々の対策が講じられると共に、仮に、放射線漏れが発生した場合には、これを速やかに、且つ、確実に検出するための検出システムが開発され、実用に共されている。
【０００３】
例えば、放射線漏れが発生する可能性のある場所の全てに、周知のシンチレーション計数管のような放射線監視装置を設置し、常時、この監視装置により、放射線漏れを監視するようなシステムが構築され、実用に共されている。
【０００４】
また、特開平９−９００４７号、特開２０００−１３７１２２号公報にみられるような、シンチレーションファイバを放射線検出用のセンサとして用いた放射線監視装置を設置し、常時、この監視装置により、放射線漏れを監視するようなシステムが構築され、実用に共されている。
【０００５】
【発明が解決しようとする課題】
しかしながら、シンチレーション計数管を用いる、従前の放射線監視システムにおいては、シンチレーション計数管は、検出箇所に夫々設置しなければならないものである一方で高価なものである。このため、このような監視システムの構築に多大な費用がかかることになる。従って、制限された予算の中では、どうしても、設置すべき場所の全てに、監視装置を設置した監視システムを構築することが困難となり、この結果、監視箇所に漏れが出て、完璧な監視システムの構築が困難となり、改善が要望されている。
【０００６】
また、特開平９−９００４７号、特開２０００−１３７１２２号公報にみられるような、シンチレーションファイバを用いる従前の放射線検出システムにおいては、シンチレーションファイバが、光ファイバの光導波路であるコア部材をシンチレータ材で置換することによって作製されている構造上、光伝送損失が大きく、数十ｍ以上の伝送が難しい。従って、シンチレーションファイバは、放射線検出箇所に夫々設置しなければならず、伝送距離が数百ｍ以上で監視箇所に漏れが出ないような大規模な監視システムを構築するためには、複雑な監視装置が必要となり、改善が要望されている。
【０００７】
即ち、放射線漏れを検出する検出システムを安価で簡便に構築できる、検出具の新規な開発が、切に要望されている。
【０００８】
この発明は、上述した事情に鑑みてなされたもので、この発明の主たる目的は、放射線漏れ監視システムを構築するに必要な、安価で簡便な検出具となる光ファイバ及び光ファイバケーブルを提供することである。
【０００９】
【課題を解決するための手段】
上述した課題を解決し、目的を達成するため、この発明に係わる光ファイバは、請求項１の記載によれば、
光導波性を有し、一方向に沿って延出するコアと、このコアの外周面を全面的に被覆して前記コア内を伝送される光を該コア内に閉じ込める第一のクラッド層と、この前記第一のクラッド層の外周面を全面的に被覆する第二のクラッド層と、を具備し、この前記第二のクラッド層には、放射線により発光するシンチレータが分散され、このシンチレータに放射線が照射されることにより発光した光の少なくとも一部は、前記コア内を伝送されることを特徴としている。
【００１０】
また、この発明に係わる光ファイバは、請求項２の記載によれば、
光導波性を有し、一方向に沿って延出するコアと、このコアの外周面を全面的に被覆して前記コア内を伝送される光を該コア内に閉じ込めるクラッド層と、を具備し、この前記クラッド層は、内層と外層とを備え、この前記外層には、放射線により発光するシンチレータが分散され、このシンチレータに放射線が照射されることにより発光した光の少なくとも一部は、前記コア内を伝送されることを特徴としている。
【００１１】
また、この発明に係わる光ファイバは、請求項３の記載によれば、
前記シンチレータは、無機シンチレータであることを特徴としている。
【００１２】
また、この発明に係わる光ファイバは、請求項４の記載によれば、
前記放射線は、Ｘ線、α線、β線及びγ線の少なくとも一つを含み、前記シンチレータは、前記Ｘ線、α線、β線及びγ線の何れかにより発光することを特徴としている。
【００１３】
また、この発明に係わる光ファイバは、請求項５の記載によれば、
前記第二のクラッド層の外周面には、保護層が被覆されていることを特徴としている。
【００１４】
また、この発明に係わる光ファイバは、請求項６の記載によれば、
前記クラッド層の外周面には、保護層が被覆されていることを特徴としている。
【００１５】
また、この発明に係わる光ファイバは、請求項７の記載によれば、
前記コアは、石英ガラスから形成されていることを特徴としている。
【００１６】
また、この発明に係わる光ファイバは、請求項８の記載によれば、
前記第一のクラッド層及び第二のクラッド層は、透明高分子合成樹脂から形成されていることを特徴としている。
【００１７】
また、この発明に係わる光ファイバは、請求項９の記載によれば、
前記クラッド層は、透明高分子合成樹脂から形成されていることを特徴としている。
【００１８】
また、この発明に係わる光ファイバは、請求項１０の記載によれば、
前記第一のクラッド層及び第二のクラッド層は、同一材料から形成されていることを特徴としている。
【００１９】
また、この発明に係わる光ファイバは、請求項１１の記載によれば、
前記第一のクラッド層及び第二のクラッド層は、同一屈折率を持つ材料から形成されていることを特徴としている。
【００２０】
また、この発明に係わる光ファイバは、請求項１２の記載によれば、
前記シンチレータは、前記第二のクラッド層内にドーピングにより分散されていることを特徴としている。
【００２１】
また、この発明に係わる光ファイバは、請求項１３の記載によれば、
前記シンチレータは、前記外層にドーピングにより分散されていることを特徴としている。
【００２２】
また、この発明に係わる光ファイバケーブルは、請求項１４の記載によれば、光導波性を有し、一方向に沿って延出するコアと、このコアの外周面を全面的に被覆して前記コア内を伝送される光を該コア内に閉じ込める第一のクラッド層と、この前記第一のクラッド層の外周面を全面的に被覆する第二のクラッド層と、前記第二のクラッド層の外周面を被覆する保護層と、を備え、この前記第二のクラッド層には、放射線により発光するシンチレータが分散され、このシンチレータに放射線が照射されることにより発光した光の少なくとも一部は、前記コア内を伝送されることを特徴とする光ファイバと、
前記保護層の外周面に被覆された補強層と、
を具備することを特徴としている。
【００２３】
また、この発明に係わる光ファイバケーブルは、請求項１５の記載によれば、光導波性を有し、一方向に沿って延出するコアと、このコアの外周面を全面的に被覆して前記コア内を伝送される光を該コア内に閉じ込めるクラッド層と、前記クラッド層の外周面を被覆する保護層とを備え、この前記クラッド層は、内層と外層とを有し、この前記外層には、放射線により発光するシンチレータが分散され、このシンチレータに放射線が照射されることにより発光した光の少なくとも一部は、前記コア内を伝送されることを特徴とする光ファイバと、
前記保護層の外周面に被覆された補強層と、
を具備することを特徴としている。
【００２４】
また、この発明に係わる光ファイバケーブルは、請求項１６の記載によれば、前記補強層は、前記一方向に沿って延びる強化繊維の束を備えていることを特徴としている。
【００２５】
また、この発明に係わる光ファイバケーブルは、請求項１７の記載によれば、前記強化繊維の束は、その外周をテープにより巻回されることにより、前記光ファイバの外周に固定されていることを特徴としている。
【００２６】
【発明を実施する形態】
以下に、本発明を実施する形態を図面を参照しつつ説明する。
【００２７】
｛第一の実施例｝
以下に、この発明に係わる光ファイバ及びこれが設けられた光ファイバケーブルの一実施例の構成を、図１に基づいて、詳細に説明する。
【００２８】
図１に示すように、この実施例に係わる光ファイバー１０は、光導波性を有すると共に一方向に沿って延出する純石英ガラス製のコア１２と、このコア１２の外周面を全面的に密着した状態で被覆する第一のクラッド層１４と、この第一のクラッド層１４の外周面を全面的に密着した状態で被覆する第二のクラッド層１６と、この第二のクラッド層１６の外周面を全面的に被覆して第二のクラッド層１６を保護する保護層１８とを備えて、概略構成されている。
【００２９】
ここで、コア１２は周知の構成であるため、その説明を省略するが、この発明においては、コア１２は、純石英ガラス製であることに限定されることなく、例えば、光導波性が担保され、且つ、耐久性（寿命）が確保されるものであれば、透明プラスチックス製であっても良いことは言うまでもない。
【００３０】
一方、上述した第一のクラッド層１４は、高分子合成樹脂、例えば、ＵＶアクリレイトやパイロコート（商標名：ルーセント・スペシャリティー・ファイバ・テクノロジー社（米国コネチカット州）製）が用いられている。
【００３１】
また、上述した第二のクラッド層１６は、高分子合成樹脂、例えば、ＵＶアクリレイトやパイロコート（商標名：ルーセント・スペシャリティー・ファイバ・テクノロジー社（米国コネチカット州）製）が用いられている。
【００３２】
また、上述した第一のクラッド層１４と第二のクラッド層１６は、後述するシンチレータ２０により放出される光子がコア１２に損失なく導入されるために、（第一のクラッド層１４の屈折率）＝（第二のクラッド層１６の屈折率）となるように、上述した高分子合成樹脂を用いる事が望ましい。
【００３３】
また、第二のクラッド層１６には、Ｘ線、α線、β線及びγ線の何れかにより発光するシンチレータ２０がドーピング等により分散されている。ここで、シンチレータ２０は周知なものであり、その詳細な説明は省略するが、この実施例では、ＮａＩ（Ｔｌ）やＣｓＩ（Ｔｌ）等の無機シンチレータが採用されている。
【００３４】
尚、Ｘ線で発光するシンチレータ２０としては、上述したＮａｌ（Ｔｌ）の他、ＣａＦ２（Ｅｕ）、ＹＡＰ（Ｃｅ）等が知られており、α線で発光するシンチレータ２０としては、上述したＣｓＩ（Ｔｌ）の他、ＢａＦ２等が知られており、β線で発光するシンチレータ２０としては、上述したＣａＦ２（Ｅｕ）やＢａＦ２等が知られており、γ線で発光するシンチレータ２０としては、上述したＮａＩ（Ｔｌ）やＣｓＩ（Ｔｌ）の他、ＢａＦ２、ＣｅＦ３、Ｂ４Ｇ３Ｏ１２、ＣｄＷＯ４等が知られている。
【００３５】
また、上述した保護層１８は、所定の機械的強度を有した合成樹脂、例えば、テフゼル（商標名：ルーセント・スペシャリティー・ファイバ・テクノロジー社（米国コネチカット州）製）から形成されている。尚、この保護層１８は、光ファイバ１０としては必須の構成要素ではなく、これが省略された状態でも、光ファイバ１０が構成されるものである。
【００３６】
以上のようにこの光ファイバ１０は構成されているので、この光ファイバ１０にα線、β線、ガンマ線等の放射線が照射されると、放射線によって、第二のクラッド層１６に分散されたシンチレータ２０に吸収されたエネルギは、そのシンチレータ２０を構成する原子（又は分子）の電離と共に励起に使用されることになる。そして、励起された原子が元の基底状態に戻ったり、電離の結果発生した電子・イオン対が何らかの過程を経て再結合したりした場合に、光子が放出されることになる。この光子の放出が、放射線による発光現象として規定されるものである。
【００３７】
このように放射線の照射に伴いシンチレータ２０が発光することになるが、この光は、第一のクラッド層１４と第二のクラッド層１６との境界面を介して第一のクラッド層１４に導入され、さらに、第一のクラッド層１４とコア１２との境界面を介して、コア１２内に導入されることになる。
【００３８】
このように、コア１２内に導入された光は、コア１２と第一のクラッド層１４の境界面で屈折を繰り返し、このコア１２内をその延出方向に沿って伝送される。
【００３９】
そして、この発明の特徴として、コア１２に全面的に被覆している第一のクラッド層１４には、上述したシンチレータ２０は分散されていないため、このコア１２内に導入された光は，コア１２と第一のクラッド層１４との境界面での損失を受けることなくコア１２の延出方向に沿って伝送される。
【００４０】
このように、第一のクラッド層１４は、コア１２とクラッド層１４の境界面が重要であり、この第一のクラッド層１４の厚みは、光ファイバとしての重量を軽減することと、柔軟性を保持するためにも、極限まで薄くても問題ない。
【００４１】
ここで、上述した光ファイバ１０は、それ自身の機械的な強度が充分でないため、以下に説明する光ファイバーケーブルの形態で、具体的に使用に供されるものである。
【００４２】
次に、以上のように構成される光ファイバ１０を用いた光ファイバケーブル２２の構成を、図２を参照して、詳細に説明する。
【００４３】
この光ファイバーケーブル２２は、図２に示すように、上述した光ファイバ１０と同一構成の光ファイバを光ファイバ心線として備えている。そして、この光ファイバーケーブル２２は、光ファイバ１０の外周面に、これを補強するための補強層２４を備えている。この補強層２４は、コア１２の延出方向である一方向に沿って延びる強化繊維の束２４Ａと、この強化繊維の束２４Ａの外周をスパイラルに前面に渡り巻回するテープ２４Ｂとを備え、このテープ２４Ｂにより、強化繊維の束２４Ａは光ファイバ１０の外周に固定されている。
【００４４】
また、この補強層２４の外周には、最外層となる、外皮層２６が全周を覆うように配設されている。この外皮層２６は、アウタージャケットとして機能するように、硬質の合成樹脂から形成されている。
【００４５】
以上のように光ファイバケーブル２２は構成されているので、この光ファイバケーブル２２にα線、β線、ガンマ線等の放射線が照射されると、放射線は、光ファイバ１０の第二のクラッド層１６に進入し、ここに分散されているシンチレータ２０を、上述したようにして発光させることになる。そして発光された光は、損失なく第一のクラッド層１４を通過し、さらに光ファイバ１０のコア１２内を伝送されることになる。
【００４６】
この発明は、上述した第一の実施例の構成に限定されることなく、この発明の要旨を逸脱しない範囲で種々変形可能である事は言うまでもない。例えば、上述した第一の実施例においては、クラッド層は、第一のクラッド層、第二のクラッド層の２層構造からなるように説明したが、このような構成に限定されることなく、少なくともこれら２層を含む３層以上の多層構造であっても良いことは言うまでもない。
【００４７】
｛第二の実施例｝
次に、この発明に係わる光ファイバ及びこれが設けられた光ファイバケーブルの、別の一実施例の構成を、図３に基づいて、詳細に説明する。
【００４８】
図３に示すように、この実施例に係わる光ファイバー３０は、光導波性を有すると共に一方向に沿って延出する純石英ガラス製のコア３２と、このコア３２の外周面を全面的に密着した状態で被覆するクラッド層３４と、このクラッド層３４の外周面を全面的に被覆してクラッド層３４を保護する保護層３６とを備えて、概略構成されている。
【００４９】
ここで、コア３２は周知の構成であるため、その説明を省略するが、この発明においては、コア３２は、純石英ガラス製であることに限定されることなく、例えば、光導波性が担保され、且つ、耐久性（寿命）が確保されるものであれば、透明プラスチックス製であっても良いことは言うまでもない。
【００５０】
一方、上述したクラッド層３４は、高分子合成樹脂、例えば、ＵＶアクリレイトやパイロコート（商標名：ルーセント・スペシャリティー・ファイバ・テクノロジー社（米国コネチカット州）製）が用いられている。
【００５１】
ここで、クラッド層３４は、内層３４Ａと、外層３４Ｂとで形成されている。
【００５２】
また、クラッド層３４の外層３４Ｂには、Ｘ線、α線、β線及びγ線の何れかにより発光するシンチレータ３８がドーピング等により分散されている。ここで、シンチレータ３８は周知なものであり、その詳細な説明は省略するが、この実施例では、ＮａＩ（Ｔｌ）やＣｓＩ（Ｔｌ）等の無機シンチレータが採用されている。
【００５３】
尚、Ｘ線で発光するシンチレータ３８としては、上述したＮａｌ（Ｔｌ）の他、ＣａＦ２（Ｅｕ）、ＹＡＰ（Ｃｅ）等が知られており、α線で発光するシンチレータ３８としては、上述したＣｓＩ（Ｔｌ）の他、ＢａＦ２等が知られており、β線で発光するシンチレータ３８としては、上述したＣａＦ２（Ｅｕ）やＢａＦ２等が知られており、γ線で発光するシンチレータ３８としては、上述したＮａＩ（Ｔｌ）やＣｓＩ（Ｔｌ）の他、ＢａＦ２、ＣｅＦ３、Ｂ４Ｇ３Ｏ１２、ＣｄＷＯ４等が知られている。
【００５４】
また、上述した保護層３６は、所定の機械的強度を有した合成樹脂、例えば、テフゼル（商標名：ルーセント・スペシャリティー・ファイバ・テクノロジー社（米国コネチカット州）製）から形成されている。尚、この保護層３６は、光ファイバ３０としては必須の構成要素ではなく、これが省略された状態でも、光ファイバ３０が構成されるものである。
【００５５】
以上のようにこの光ファイバ３０は構成されているので、この光ファイバ３０にα線、β線、ガンマ線等の放射線が照射されると、放射線によって、クラッド層３４の外層３４Ｂに分散されたシンチレータ３８に吸収されたエネルギは、そのシンチレータ３８を構成する原子（又は分子）の電離と共に励起に使用されることになる。そして、励起された原子が元の基底状態に戻ったり、電離の結果発生した電子・イオン対が何らかの過程を経て再結合したりした場合に、光子が放出されることになる。この光子の放出が、放射線による発光現象として規定されるものである。
【００５６】
このように放射線の照射に伴いシンチレータ３８が発光することになるが、この光は、クラッド層３４とコア３２との境界面を介して、コア３２内に導入されることになる。
【００５７】
このように、コア３２内に導入された光は、コア３２とクラッド層３４の境界面で屈折を繰り返し、このコア３２内をその延出方向に沿って伝送される。
【００５８】
そして、この発明の特徴として、コア３２に全面的に被覆しているのクラッド層３４は、上述したシンチレータ３８が分散されていない内層３４Ａが存在するため、このコア３２内に導入された光は，コア３２とクラッド層３４の内層３４Ａとの境界面での損失を受けることなくコア３２の延出方向に沿って伝送される。
【００５９】
このように、クラッド層３４の内層３４Ａは、コア１２とクラッド層３４の内層３４Ａとの境界面が重要であり、この内層３４Ａの厚みは、極限まで薄くても問題ない。
【００６０】
ここで、上述した光ファイバ３０は、それ自身の機械的な強度が充分でないため、以下に説明する光ファイバーケーブルの形態で、具体的に使用に供されるものである。
【００６１】
次に、以上のように構成される光ファイバ３０を用いた光ファイバケーブル４０の構成を、図４を参照して、詳細に説明する。
【００６２】
この光ファイバーケーブル４０は、図４に示すように、上述した光ファイバ３０と同一構成の光ファイバを光ファイバ心線として備えている。そして、この光ファイバーケーブル４０は、光ファイバ３０の外周面に、これを補強するための補強層４２を備えている。この補強層４２は、コア３２の延出方向である一方向に沿って延びる強化繊維の束４２Ａと、この強化繊維の束４２Ａの外周をスパイラルに前面に渡り巻回するテープ４２Ｂとを備え、このテープ４２Ｂにより、強化繊維の束４２Ａは光ファイバ３０の外周に固定されている。
【００６３】
また、この補強層４２の外周には、最外層となる、外皮層４４が全周を覆うように配設されている。この外皮層４４は、アウタージャケットとして機能するように、硬質の合成樹脂から形成されている。
【００６４】
以上のように光ファイバケーブル４０は構成されているので、この光ファイバケーブル４０にα線、β線、ガンマ線等の放射線が照射されると、放射線は、光ファイバ３０のクラッド層３４に進入し、クラッド層３４の外層３４Ｂに分散されているシンチレータ３８を、上述したようにして発光させることになる。そして発光された光は、損失なく光ファイバ３０のコア３２内を伝送されることになる。
【００６５】
この発明は、上述した第二の実施例の構成に限定されることなく、この発明の要旨を逸脱しない範囲で種々変形可能である事は言うまでもない。例えば、上述した第二の実施例においては、クラッド層は、内層、外層からなるように説明したが、このような構成に限定されることなく、少なくとも内層、外層を含み、例えば内層と外層に挟まれた中間層を持つものであっても良いことは言うまでもない。
【００６６】
このように、光ファイバケーブル２２及び光ファイバケーブル４０は、放射能検出システムの検出具として用いることにより、例えば、原子力発電所、放射線を扱う研究所や工場や医院において、放射線の漏れが速やかに検出され、放射線による被曝事故が未然に防止されることになる。
【００６７】
さらに、光ファイバケーブル２２及び光ファイバケーブル４０は、光導波路であるコアとこのコアと境界面を形成するクラッド層と、にシンチレータ材を分散しない点で、従前の光ファイバケーブルと同様の構造であり、従前の光ファイバケーブルと同一の光伝送性能を具備する。これにより、伝送距離が数百ｍ以上で監視箇所に漏れが出ないような大規模な監視システムの検出具として最適である。
【００６８】
しかも、このような検出具として作用する光ファイバケーブル２２及び光ファイバケーブル４０は、非常に安価に製造できるものであり、放射線漏れが心配される部位の全てに渡り、この光ファイバケーブルを張り巡らせたとしても、その費用は高価なものとはならず、決められた予算内で、極めて効果的に放射線検出システムを構築することが可能となり、安全性が高い次元で担保されることになる。
【００６９】
以上詳述したように、この発明によれば、放射線漏れ監視システムを構築するに必要となる検出具となる光ファイバ及び光ファイバケーブルが安価に提供されることとなる。
【００７０】
【図面の簡単な説明】
【図１】この発明に係わる光ファイバの第一の実施例の構成を示す断面図である。
【図２】この発明に係わる光ファイバケーブルの第一の実施例の構成を一部破断した状態で示す斜視図である。
【図３】この発明に係わる光ファイバの第二の実施例の構成を示す断面図である。
【図４】この発明に係わる光ファイバケーブルの第二の実施例の構成を一部破断した状態で示す斜視図である。
【符号の説明】
１０  光ファイバ
１２  コア
１４  第一のクラッド層
１６  第二のクラッド層
１８  保護層
２０  シンチレータ
２２  光ファイバケーブル
２４  補強層
２４Ａ  強化繊維の束
２４Ｂ  テープ
２６  外被層
３０  光ファイバ
３２  コア
３４  クラッド層
３４Ａ  内層
３４Ｂ  外層
３６  保護層
３８  シンチレータ
４０  光ファイバケーブル
４２  補強層
４２Ａ  強化繊維の束
４２Ｂ  テープ
４４  外被層
【図１】
0003715546.tif 000002
【図２】
0003715546.tif 000003
【図３】
0003715546.tif 000004
【図４】
0003715546.tif 000005